(57)【要約】  本発明は通信システムにおける通信連結を設定のための方法を提供するものであり、以下を含む。Ａ．新たな隣接セルが発見されるのかを判断し、新たな隣接セルに対する情報を獲得し、前記新たな隣接セルに対する情報を前記中継ノードが従属された（ｂｅｌｏｎｇ  ｔｏ）基地局であるＤｅＮＢ（Ｄｏｎｏｒ  ｅＮｏｄｅ  Ｂ）に報告する中継ノード。Ｂ．前記新たな隣接セルに属した網ノードを発見し、前記新たな隣接セルが属した前記網ノードとＸ２インターフェースが設定されているのかを判断し、前記Ｘ２インターフェースが設定されていないと前記新たな隣接セルが属した前記網ノードとＸ２インターフェースを設定するＤｅＮＢ。本発明によって提供される方法によって、中継ノードは新たな隣接セルが属した網ノードとＤｅＮＢを介して通信を行うことができる。また、前記中継ノードの構成情報及び負荷情報のうち少なくとも一つが変更される場合、隣接ノードは前記ＤｅＮＢを介して適時に通知され得る。前記隣接ノードの構成情報及び負荷情報のうち少なくとも一つが変更される場合、前記中継ノードも前記ＤｅＮＢを介して通知され得る。
2013530617.tif 000002
【特許請求の範囲】
【請求項１】
通信システムにおける通信連結を設定のための装置において、
中継ノードにおける新たな隣接セルに対する情報を獲得する過程と、
前記中駅ノードにおける前記新たな隣接セルに対する情報を前記中継ノードが従属された（ｓｕｂｏｒｄｉｎａｔｅ  ｔｏ）基地局であるＤｅＮＢに報告する過程と、
前記ＤｅＮＢにおける前記新たな隣接セルが属した網ノードを発見する過程と、
前記ＤｅＮＢにおける前記新たな隣接セルが属した前記網ノードとＸ２インターフェースが設定されているのかを判断する過程と、
前記ＤｅＮＢにおいて、前記Ｘ２インターフェースが設定されていないと前記新たな隣接セルが属した前記網ノードとＸ２インターフェースを設定する過程と、を含むことを特徴とする方法。
【請求項２】
前記中継ノードが新たな隣接セルが発見されたと判断して前記新たな隣接セルに対する情報を獲得する過程は、
前記中継ノードにおける中継ノードに従属されたＵＥから測定報告（ｍｅａｓｕｒｅ  ｒｅｐｏｒｔ）メッセージを受信する過程と、
前記中継ノードにおける前記測定報告メッセージに含まれた隣接セルの物理階層識別情報が前記中継ノードの隣接セルリストに含まれているのかを判断する過程と、
前記中継ノードにおける前記隣接セルの物理階層識別情報が前記中継ノードの隣接セルリストに含まれていないと、前記隣接セルを前記新たな隣接セルとして判断する過程と、を含むことを特徴とする請求項１に記載の方法。
【請求項３】
前記新たな隣接セルに対する情報は、ＥＣＧＩ、ＴＡＣ、ＰＬＭＮ  ＩＤのうち少なくとも一つを含むことを特徴とする請求項１に記載の方法。
【請求項４】
前記新たな隣接セルが属した前記網ノードとＸ２インターフェースを設定する過程は、
前記ＤｅＮＢにおけるＭＭＥへとｅＮＢ構成伝送メッセージを送信する過程と、
前記ＭＭＥにおける前記新たな隣接セルが属した網ノードへとＭＭＥ構成伝送メッセージを送信する過程と、
前記網ノードにおける前記ＭＭＥへと前記ｅＮＢ構成伝送メッセージを送信する過程と、
前記ＭＭＥにおける前記ＤｅＮＢへとＭＭＥ構成伝送メッセージを送信する過程と、
前記ＤｅＮＢにおける前記新たな隣接セルが属した前記網ノードにＸ２設定要請メッセージを送信する過程と、
前記網ノードにおける前記ＤｅＮＢへとＸ２設定応答メッセージを送信する過程と、
前記ＤｅＮＢにおける前記中継ノードに隣接セル情報通知メッセージを送信する過程と、を含むことを特徴とする請求項１に記載の方法。
【請求項５】
前記中継ノードの隣接セルリストは前記ＤｅＮＢに貯蔵されており、
前記ＤｅＮＢにおいて、前記新たな隣接セルを発見した前記中継ノードの隣接セルリストに前記新たな隣接セルに対する情報を追加する過程を更に含むことを特徴とする請求項１乃至請求項４のうちいずれか一項に記載の方法。
【請求項６】
前記ＤｅＮＢ及び前記網ノード間の前記Ｘ２インターフェースが設定されていると、前記ＤｅＮＢで前記中継ノードに隣接セル情報通知メッセージを送信する過程を更に含むことを特徴とする請求項１乃至請求項４のうちいずれか一項に記載の方法。
【請求項７】
前記ＤｅＮＢにおいて、ｅＮＢ状態更新メッセージが受信されると、前記ｅＮＢ状態変更メッセージに変更された構成情報及び変更された負荷情報のうち少なくとも一つが含まれているか判断する過程と、
前記ＤｅＮＢにおいて、前記変更された構成情報及び前記変更された負荷情報のうち少なくとも一つが含まれていると、前記ｅＮＢ状態更新メッセージが従属された中継ノードから受信されたのか又は他の網ノードから受信されたのかを判断する過程と、
前記ｅＮＢ状態更新メッセージが前記従属された中継ノードから受信されたのであれば、
前記ＤｅＮＢにおいて、前記ｅＮＢ状態更新メッセージを送信した中継ノードの隣接セルリストに含まれた全ての隣接セルが属した網ノードに前記ｅＮＢ状態更新メッセージをフォワードする過程と、
前記ｅＮＢ状態更新メッセージが前記他の網ノードから受信されたのであれば、
前記ＤｅＮＢにおいて、前記ｅＮＢ状態更新メッセージを送信した前記網ノードに属したセルが前記ＤｅＮＢの隣接セルリストに含まれているのかを判断する過程と、
前記網ノードに属したセルが前記ＤｅＮＢの隣接セルリストに含まれていると、
前記ＤｅＮＢにおいて、前記ｅＮＢ状態更新メッセージによって前記ＤｅＮＢの隣接セルリストを更新し、前記ｅＮＢ状態更新メッセージを送信した前記網ノードに属したセルがツ中継ノードの隣接セルリストに含まれていると前記ｅＮＢ状態更新メッセージを前記中継ノードにフォワードする過程と、
前記網ノードに属したセルが前記ＤｅＮＢの隣接セルリストに含まれていないと、
前記ＤｅＮＢにおいて、前記ｅＮＢ状態更新メッセージを送信した中継ノードに属したセルが中継ノードの隣接セルリストに含まれテいると前記ｅＮＢ状態更新メッセージを前記中継ノードにフォワードする過程と、を更に含むことを特徴とする請求項５に記載の方法。
【請求項８】
無線通信システムにおける中継ノードの動作方法において、
新たな隣接セルに対する情報を獲得する過程と、
前記新たな隣接セルに対する情報を前記中継ノードが従属された基地局であるＤｅＮＢに報告する過程と、を含むことを特徴とする方法。
【請求項９】
前記新たな隣接セルに対する情報を獲得する過程は、
前記中継ノードに従属されたＵＥから測定報告（ｍｅａｓｕｒｅ  ｒｅｐｏｒｔ）メッセージを受信する過程と、
前記測定報告メッセージに含まれた隣接の物理階層識別情報が前記中継ノードの隣接セルリストに含まれているのかを判断する過程と、
前記隣接セルの物理階層識別情報が前記中継ノードの隣接セルリストに含まれていないと、前記隣接セルを前記新たな隣接セルとして判断する過程と、を含むことを特徴とする請求項８に記載の方法。
【請求項１０】
通信システムにおけるｅＮＢの動作方法において、
前記ｅＮＢは従属された中継ノードから新たな隣接セルに対する情報が報告されると前記新たな隣接セルが属した網ノードを発見する過程と、
前記新たな隣接セルが属した前記網ノードとＸ２インターフェースが設定されているのかを判断する過程と、
前記Ｘ２インターフェースが設定されていないと前記新たな隣接セルが属した前記網ノードとＸ２インターフェースを設定する過程と、を含むことを特徴とする方法。
【請求項１１】
前記新たな隣接セルが属した前記網ノードとＸ２インターフェースを設定する過程は、
ＭＭＥへと前記網ノードの伝送階層アドレスを要請する指示子を含むｅＮＢ構成伝送メッセージを送信する過程と、
前記ＭＭＥから前記網ノードの伝送階層アドレスを含むＭＭＥ構成伝送メッセージを送信する過程と、
前記網ノードの伝送階層アドレスを利用して前記網ノードにＸ２設定要請メッセージを送信する過程と、
Ｘ２設定応答メッセージを受信する過程と、
前記中継ノードに隣接セル情報通知メッセージを送信する過程と、を含むことを特徴とする請求項１０に記載の方法。
【請求項１２】
前記中継ノードの隣接セルリストは前記ＤｅＮＢに貯蔵されており、
前記新たな隣接セルを発見した前記中継ノードの隣接セルリストに前記新たな隣接セルに対する情報を追加する過程を更に含むことを特徴とする請求項１０に記載の方法。
【請求項１３】
前記新たな隣接セルに対する情報は、ＥＣＧＩ、ＴＡＣ、ＰＬＭＮ  ＩＤのうち少なくとも一つを含むことを特徴とする請求項８又は請求項１０に記載の方法。
【請求項１４】
請求項８、請求項９又は請求項１３の方法を具現するように構成された中継ノード装置。
【請求項１５】
請求項１０乃至請求項１３方法を具現するように構成されたｅＮＢ装置。
【発明の詳細な説明】
【技術分野】
【０００１】
本発明は、移動通信システムに関するものである。特に、本発明は移動通信システムにおいて通信連結を設定するための装置及びその方法に関するものである。
【背景技術】
【０００２】
ＳＡＥ（Ｓｙｓｔｅｍ  Ａｒｃｈｉｔｅｃｔｕｒｅ  Ｅｖｏｌｕｔｉｏｎ）は開発中の３Ｇ（３ｒｄ  Ｇｅｎｅｒａｔｉｏｎ）移動通信技術であり、大きくＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）及びコア網で構成され、システム時間遅延（ｓｙｓｔｅｍ  ｔｉｍｅ  ｄｅｌａｙ）を減少させてセル容量（ｃｅｌｌ  ｃａｐａｃｉｔｙ）を増加させるなどの長所を有する。
【０００３】
図１は、ＳＡＥの概略的な構成を示す図である。前記図１を参照すると、マクロ基地局であるｅＮＢ（ｅｖｏｌｖｅｄ  Ｎｏｄｅ  Ｂ）１１０はＥ−ＵＴＲＡＮ内に位置し、ＵＥ（Ｕｓｅｒ  Ｅｑｕｉｐｍｅｎｔ）にＳＡＥシステムに接続するための無線インターフェースを提供するために使用される。ＭＭＥ（Ｍｏｂｉｌｅ  Ｍａｎａｇｅｍｅｎｔ  Ｅｎｔｉｔｙ）１２０及びＳ−ＧＷ（Ｓｅｒｖｉｎｇ  Ｇａｔｅｗａｙ）１３０はコア網内に位置し、前記ｅＮＢ１１０とＳ１インターフェースを介して連結される。詳しくは、前記ＭＭＥ１２０はモバイルコンテキスト（ｍｏｂｉｌｅ  ｃｏｎｔｅｘｔ）及び前記ＵＥのセッションコンテキスト（ｓｅｓｓｉｏｎ  ｃｏｎｔｅｘｔ）を管理し、保安関連（ｓｅｃｕｒｉｔｙ−ｒｅａｌｔｅｄ）情報を貯蔵する。前記Ｓ−ＧＷ１３０はユーザプレーン（ｕｓｅｒ−ｐｌａｎｅ）機能を提供し、ＧＰＲＳ（Ｇｅｎｅｒａｌ  Ｐａｃｋｅｔ  Ｒａｄｉｏ  Ｓｅｒｖｉｃｅ）トンネルプロトコールチャネルを介して前記ｅＮＢ１１０にデータを送信する。前記データは、前記ｅＮＢ１１０によって該当ＵＥに伝達される。前記ＭＭＥ１２０及びＳ−ＧＷ１３０は同じ物理的客体内に含まれ得る。なお、各ｅＮＢ１１０は多数のＭＭＥ１２０と連結されてもよく、多数のＳ−ＧＷ１３０と連結されてもよい。ｅＮＢ１１０は互いにＸ２インターフェースで連結される。
【０００４】
連結状態にあるＵＥはｅＮＢから他のｅＮＢに移動し得る。以下、説明の便宜上、第１ｅＮＢから第２ｅＮＢに移動する状況を仮定する。前記第１ｅＮＢ及び前記第２ｅＮＢの間にＸ２インターフェースが存在する場合、前記第１ｅＮＢは前記Ｘ２インターフェースに基づいてハンドオーバ手順を開始する。具体的には、前記第１ｅＮＢはハンドオーバのために必要な情報（例えば、ＵＥコンテキストなど）を含むメッセージを前記第２ｅＮＢに送信する。前記第２ｅＮＢは前記ＵＥに資源を割り当て、前記ＵＥに目的セル（ｄｅｓｔｉｎａｔｉｏｎ  ｃｅｌｌ）の構成を知らせる。前記ＵＥは前記目的セルに同期化され、同期化の完了を前記目的セルに知らせる。前記第２ｅＮＢはＭＭＥにメッセージを送信し、ダウンリンクデータトンネルに対する以前セル（ｏｌｄ  ｃｅｌｌ）から新たなセルへのハンドオーバを行う。前記第１ｅＮＢ及び前記第２ｅＮＢ間にＸ２インターフェースが存在しない場合、前記第１ｅＮＢは前記Ｓ１インターフェースに基づいてハンドオーバ手順を開始する。即ち、前記第１ｅＮＢは前記ＭＭＥにまずメッセージを送信し、前記ＭＭＥによって前記第１ｅＮＢ及び前記第２ｅＮＢ間のメッセージがフォワードされる。
【０００５】
セルの境界でカバレッジを強化するために、中継ノード（ｒｅｌａｙ  ｎｏｄｅ）のような新たな網ノードが提案されたことがある。図２は、中継ノードを追加したＳＡＥの概略的な構成を示す図である。前記図２を参照すると、中継ノード２００に連結されたｅＮＢはＤｅＮＢ（Ｄｏｎｏｒ  ｅＮＢ）２１５と称され、前記ＤｅＮＢ２１５及び前記中継ノード２００の間の無線連結が存在する。電源がオン（ｏｎ）された後、前記中継ノード２００は、まず前記ＤｅＮＢ２１５とＲＲＣ（Ｒａｄｉｏ  Ｒｅｓｏｕｒｃｅ  ｃｏｎｔｒｏｌ）連結を設定する。この際、前記ＤｅＮＢ２１５において、前記中継ノード２００はＵＥと同じく扱われる。前記ＲＲＣ連結に基づいてＳ１インターフェース及びＸ２インターフェースが設定されてもよく、前記中継ノード２００の前記Ｓ１インターフェース及び前記Ｘ２インターフェースは前記中継ノード２００で終結される。前記ＤｅＮＢ２１５は前記中継ノード２００及び他の網ノード間の前記Ｓ１インターフェース及び前記Ｘ２インターフェースに対する中間プロキシ機能（ｉｎｔｅｒｍｅｄｉａｔｅ  ｐｒｏｘｙ  ｆｕｎｃｔｉｏｎ）を提供する。前記中継ノード２００において、前記ＤｅＮＢ２１５はＳ−ＧＷ２３０及びＰ−ＧＷ（Ｐａｃｋｅｔ  Ｄａｔａ  Ｎｅｔｗｏｒｋ  Ｇａｔｅｗａｙ）のように機能する。
【０００６】
前記中継ノード２００は前記ＤｅＮＢ２１５とＸ２インターフェースを設定することができ、また、前記中継ノード２００は他の隣接ノードとＸ２インターフェースを設定することができる。例えば、前記他の隣接ノードは前記中継ノード２００の隣接セルに属した網ノードであってもよい。前記中継ノード２００の隣接セルに属した網ノードを第３ｅＮＢと仮定する。従来技術によると、前記ＤｅＮＢ２１５が前記第３ｅＮＢとＸ２インターフェースを設定し、前記中継ノード２００が電源がオンされた後前記ＤｅＮＢ２１５とＸ２インターフェースを設定したとすると、その結果前記中継ノード２００は前記第３ｅＮＢとのＸ２インターフェースも設定したことになる。従って、前記中継ノード２００は前記ＤｅＮＢ２１５のフォワードを介して前記第３ｅＮＢと通信を行い得る。
【０００７】
一般的に、網構成の方式によって、Ｘ２インターフェースはＤｅＮＢ及び中継ノードの他の隣接ノードと設定され得る。しかし、前記中継ノードが新たな隣接セルを発見し、前記Ｘ２インターフェースは前記ＤｅＮＢ及び前記新たな隣接セルに属した網ノードと設定されない場合、前記中継ノードはまず前記ＤｅＮＢにＸ２インターフェースの設定を要請するメッセージを送信する。しかし、従来技術によると、Ｘ２インターフェースを設定しようとする対象に対する情報が前記メッセージに含まれなくてもよい。前記メッセージを受信した前記ＤｅＮＢは前記メッセージが自分に送信されたと認知し、前記他の網ノードとＸ２インターフェースを設定しなくてもよい。その結果、前記中継ノードは前記新たな隣接セルに属した網ノードと通信を行うことができない。
【発明の概要】
【課題を解決するための手段】
【０００８】
本発明は、上述した問題点及び不利益を解消し、以下のような長所を提供する。本発明の目的は、広帯域無線接続システムにおける通信連結を設定するための装置及び方法を提供することにある。
【０００９】
本発明の他の目的は、広帯域無線接続システムにおいて、中継ノードが従属されたｅＮＢ及び隣接セルの網ノードの間のＸ２インターフェースを設定するための装置及びその方法を提供することにある。
【００１０】
本発明のまた他の目的は、広帯域無線接続システムにおいて、中継ノードの変更された情報を隣接セルの網ノードに提供するための装置及びその方法を提供することにある。
【００１１】
本発明の更に他の目的は、広帯域無線接続システムにおいて、隣接セルの網ノードの変更された情報を中継ノードに提供するための装置及びその方法を提供することにある。
【００１２】
上述した目的を達成するための本発明の第１見地によると、線通信システムにおける通信連結を設定するための方法が提供される。前記方法は、中継ノードにおける新たな隣接セルに対する情報を獲得する過程と、前記中継ノードにおける前記新たな隣接セルに対する情報を前記中継ノードが従属された基地局であるＤｅＮＢに報告する過程と、前記ＤｅＮＢにおける前記新たな隣接セルが属した網ノードを発見する過程と、前記ＤｅＮＢにおける前記新たな隣接セルが属した前記網ノードとＸ２インターフェースが設定されているのかを判断する過程と、前記ＤｅＮＢにおける前記Ｘ２インターフェースが設定されていないと前記新たな隣接セルが属した前記網ノードとＸ２インターフェースを設定する過程と、を含むことを特徴とする。
【００１３】
上述した目的を達成するための本発明の第２見地によると、通信システムにおける中継ノードの動作方法が提供される。前記方法は、新たな隣接セルに対する情報を獲得する過程と、前記新たな隣接セルに対する情報を前記中継ノードが従属された基地局であるＤｅＮＢに報告する過程と、を含むことを特徴とする。
【００１４】
上述した目的を達成するための本発明の第３見地によると、通信システムにおけるｅＮＢの動作方法が提供される。前記方法は、前記ｅＮＢに従属された中継ノードから新たな隣接セルに対する情報が報告されると前記新たな隣接セルが属した網ノードを発見する過程と、前記新たな隣接セルが属した前記網ノードとＸ２インターフェースが設定されているのかを判断する過程と、前記Ｘ２インターフェースが設定されていないと前記新たな隣接セルが属した前記網ノードとＸ２インターフェースを設定する過程と、を含むことを特徴とする。
【００１５】
上述した目的を達成するための本発明の第４見地によると、通信システムにおける中継ノード装置が提供される。前記装置は、新たな隣接セルに対する情報を獲得する制御部と、前記新たな隣接セルに対する情報を前記中継ノードが従属された基地局であるＤｅＮＢに報告するモデムと、を含むことを特徴とする。
【００１６】
上述した目的を達成するための本発明の第５見地によると、通信システムにおけるｅＮＢ装置が提供される。前記装置は、前記ｅＮＢに従属された中継ノードから新たな隣接セルに対する情報を受信するモデムと、前記新たな隣接セルが属した網ノードを発見し、前記新たな隣接セルが属した前記網ノードとＸ２インターフェースが設定されているのかを判断した後、前記Ｘ２インターフェースが設定されていないと前記新たな隣接セルが属した前記網ノードとＸ２インターフェースを設定する制御部と、を含むことを特徴とする。
【図面の簡単な説明】
【００１７】
【図１】ＳＡＥの概略的な構成を示す図である。
【図２】中継ノードを追加したＳＡＥの概略的な構成を示す図である。
【図３】本発明の実施形態による移動通信システムにおいて、通信連結を設定するための信号交換を示す図である。
【図４】本発明の実施形態による移動通信システムにおいて、中継ノードに対する情報変更を知らせるための信号交換を示す図である。
【図５】本発明の実施形態による移動通信システムにおいて、ｅＮＢに対する情報変更を知らせるための信号交換を示す図である。
【図６】本発明の実施形態による移動通信システムの網構造を概略的に示す図である。
【図７】本発明の実施形態による移動通信システムにおいて、ＤｅＮＢがｅＮＢ状態更新メッセージを受信した後からの手順を示す図である。
【図８】本発明の実施形態による移動通信システムにおいて、ＤｅＮＢがｅＮＢ状態更新メッセージを受信した後からの手順を示す図である。
【図９】本発明の実施形態による移動通信システムにおける中継ノードのブロック構成を示す図である。
【図１０】本発明の実施形態による移動通信システムにおけるｅＮＢのブロック構成を示す図である。
【図１１】本発明の実施形態による移動通信システムにおけるＭＭＥのブロック構成を示す図である。
【発明を実施するための形態】
【００１８】
従来技術の問題点を考慮し、以下、本発明は移動通信システムにおける通信連結を設定するための技術について説明する。発明の実施形態による中継ノードは、新たな隣接セルを発見したと判断すると、前記新たなセルに対する情報を前記中継ノードが属したＤｅＮＢに送信する。前記ＤｅＮＢは前記隣接セルに属した網ノードを発見し、前記網ノードとＸ２インターフェースが設定されているのか否かを判断した後、Ｘ２インターフェースが設定されていないと前記網ノードとＸ２インターフェースを設定する。
【００１９】
本発明の技術的解決を更に明確にするために、以下、本発明の解決方案が実施形態の結合及び図面の参考と共により詳しく説明される。
【００２０】
図３は、本発明の実施形態による移動通信システムにおいて、通信連結を設定するための信号交換を示す図である。以下の説明において、中継ノードは電源がオン（ｏｎ）された後、前記中継ノードが属したＤｅＮＢとＸ２インターフェースを設定したことを仮定する。
【００２１】
前記図３を参照すると、ステップ３０１において、前記中継ノードは接続されたＵｅから送信された測定報告（ｍｅａｓｕｒｅｍｅｎｔ  ｒｅｐｏｒｔ）メッセージを受信し、前記測定報告メッセージを介して伝達される隣接セルの物理階層識別情報を利用して新たな隣接セルが発見されたのかを判断する。本発明の実施形態によって、全てのＵＥは自らが従属された中継ノードに周期的に又は予め定義された条件が充足されると測定報告メッセージを送信し得る。前記ＵＥから前記測定報告メッセージを受信した後、前記中継ノードは前記測定報告メッセージを介して伝達された隣接セルの物理階層識別情報を獲得し、前記隣接セルの物理階層識別情報が事前に貯蔵された隣接セルリストに含まれているのかを確認する。確認の結果、前記隣接セルリストに前記測定報告メッセージを介して伝達された隣接セルの物理階層識別情報が含まれていないと、前記中継ノードは前記隣接セルリストに含まれていない識別情報に対応する隣接セルを新たな隣接セルとして判断する。例えば、同じＤｅＮＢに従属された互いに異なる中継ノードに従属されたセルは互いに隣接セルであるか、そうでなくてもよい。また、通常のｅＮＢに従属されたセルも前記中継ノードの隣接セルになり得る。なお、前記ＤｅＮＢに従属されたセルも前記ＤｅＮＢに従属された中継ノードの隣接セルになり得る。更に、前記中継ノードに従属されたセルは前記中継ノードが属したＤｅＮＢの隣接セルになってもよく、前記ＤｅＮＢの隣接セルリストに貯蔵されてもよい。
【００２２】
ステップ３０２において、前記中継ノードは前記ＵＥに測定報告制御メッセージを送信することで前記ＵＥに前記新たな隣接セルに対する情報を報告することを知らせる。言い換えると、前記中継ノードは前記新たな隣接セルに対する情報を要請する。具体的には、前記中継ノードは前記ＵＥに前記新たな隣接セルの物理階層識別情報を送信することで、前記新たな隣接セルに対する情報、例えば、ＥＣＧＩ（Ｅ−ＵＴＡＮ  Ｃｅｌｌ  Ｇｌｏｂａｌ  Ｉｄｅｎｔｉｆｉｅｒ）、ＴＡＣ（Ｔｒａｃｋｉｎｇ  Ａｒｅａ  Ｃｏｄ），ＰＬＭＮ  ＩＤ（Ｐｕｂｌｉｃ  Ｌａｎｄ  Ｍｏｂｉｌｅ  Ｎｅｔｗｏｒｋ  Ｉｄｅｎｔｉｆｉｅｒ）などを報告することを知らせる。前記ＵＥは、前記隣接セルの放送メッセージを受信することで前記のような情報を獲得し得る。
【００２３】
ステップ３０３において、前記ＵＥは測定報告メッセージを介して前記新たな隣接セルの情報を前記中継ノードに送信する。言い換えると、前記ＵＥは前記新たな隣接セルに対する情報を含む測定報告メッセージを前記中継ノードに送信する。
【００２４】
ステップ３０４において、前記中継ノードは前記新たなセルに対する情報を前記隣接セルリストに追加し、前記中継ノードが従属されたＤｅＮＢに隣接セルメッセージ報告メッセージを送信することで前記ＤｅＮＢに前記新たな隣接セルに対する情報を提供する。具体的には、前記中継ノードは前記ＤｅＮＢに前記隣接セルメッセージ報告メッセージを送信することで、前記新たな隣接セルが発見されたことを報告して前記隣接セルに対する情報を伝達する。例えば、前記情報はＥＣＧＩ、ＴＡＣ、ＰＬＭＮなどを含んでもよい。
【００２５】
ステップ３０５において、前記ＤｅＮＢは、前記新たな隣接セルに対する情報を貯蔵し、前記新たな隣接セルが属した網ノードを発見する。以下、説明の便宜上、本発明は前記「新たな隣接セルが属した網ノードを「ｅＮＢ＿Ｎ」と称する。そして、前記ＤｅＮＢは前記ｅＮＢ＿ＮとＸ２インターフェースが設定されているか否かを判断する。前記Ｘ２インターフェースが設定されている場合、以下のステップ３１２が進行され、本手順が終了される。一方、前記Ｘ２インターフェースが設定されていない場合、以下のステップ３０６が進行される。本発明の実施形態によって、前記ＤｅＮＢの隣接セルリストに加え、前記ＤｅＮＢに従属された全ての中継ノードそれぞれの隣接セルリストもまた前記ＤｅＮＢに貯蔵され得る。本ステップにおいて、前記新たな隣接セルに対する情報を受信した後、前記ＤｅＮＢは前記新たな隣接セルに対する情報を送信した前記中継ノードの隣接セルリストに前記新たな隣接セルに対する情報を貯蔵し得る。前記ＤｅＮＢは、前記新たな隣接セルが属した網ノードを発見する。ここで、前記網ノードは同じＤｅＮＢに従属された中継ノードであるか、他のＤｅＮＢに従属された他の中継ノードであるか、通常のｅＮＢであってもよい。以下の説明において、前記網ノードは「ｅＮＢ＿Ｎ」として仮定する。前記ＤｅＮＢは前記ｅＮＢ＿ＮとＸ２インターフェースが設定されているか否かを判断する。前記Ｘ２インターフェースが設定されていない場合、以下のステップ３０６が進行、即ち、Ｘ２インターフェースを設定する手順が始まる。前記ＤｅＮＢが前記ｅＮＢ＿Ｎを見つける過程及び前記Ｘ２インターフェースを設定するか否かを判断する過程は、従来技術によって行われてもよい。
【００２６】
ステップ３０６において、前記ＤｅＮＢはＭＭＥへとｅＮＢ構成伝送（ｅＮＢ  ｃｏｎｆｉｇｕｒａｔｉｏｎ  ｔｒａｎｓｍｉｓｓｉｏｎ）メッセージを送信する。前記ｅＮＢ構成伝送メッセージは、前記ＤｅＮＢの基地局識別子、ＰＬＭＮ  ＩＤ、ＴＡＣ、前記ｅＮＢ＿Ｎの基地局識別子、ＰＬＭＮ  ＩＤ、ＴＡＣを含み、前記ｅＮＢ＿Ｎの伝送階層アドレスを要請する指示子を含む。
【００２７】
ステップ３０７において、前記ＭＭＥは前記ｅＮＢ＿ＮへとＭＭＥ構成伝送（ＭＭＥ  ｃｏｎｆｉｇｕｒａｔｉｏｎ  ｔｒａｎｓｍｉｓｓｉｏｎ）メッセージを送信する。前記ＭＭＥ構成伝送メッセージは、前記ステップ３０６で送信されたｅＮＢ構成伝送メッセージと同じ情報を伝達する。即ち、前記ＭＭＥ構成伝送メッセージは、前記ＤｅＮＢの基地局識別子、ＰＬＭＮ  ＩＤ、ＴＡＣ、前記ｅＮＢ＿Ｎの基地局識別子、ＰＬＭＮ  ＩＤ、ＴＡＣを含み、前記ｅＮＢ＿Ｎの伝送階層アドレスを要請する指示子を含む。
【００２８】
ステップ３０８において、前記ｅＮＢ＿Ｎは前記ＭＭＥへと応答メッセージとしてｅＮＢ構成伝送メッセージを送信する。前記ｅＮＢ構成伝送メッセージは、前記ＤｅＮＢの基地局識別子、ＰＬＭＮ  ＩＤ、ＴＡＣ、前記ｅＮＢ＿Ｎの基地局識別子、ＰＬＭＮ  ＩＤ、ＴＡＣを含み、前記ｅＮＢ＿Ｎの伝送階層アドレスを含む。
【００２９】
ステップ３０９において、前記ＭＭＥは前記ＤｅＮＢへとＭＭＥ構成伝送メッセージを送信する。前記ＭＭＥ構成伝送メッセージは、前記ステップ３０８で送信されたｅＮＢ構成伝送メッセージと同じ情報を伝達する。即ち、前記ＭＭＥ構成伝送メッセージは、前記ＤｅＮＢの基地局識別子、ＰＬＭＮ  ＩＤ、ＴＡＣ、前記ｅＮＢ＿Ｎの基地局識別子、ＰＬＭＮ  ＩＤ、ＴＡＣを含み、前記ｅＮＢ＿Ｎの伝送階層アドレスを含む。
【００３０】
ステップ３１０において、前記ＤｅＮＢは前記ｅＮＢ＿ＮはＸ２設定要請（Ｘ２  ｓｅｔｕｐ  ｒｅｑｕｅｓｔ）メッセージを送信する。 
【００３１】
前記ｅＮＢ＿Ｎの伝送階層アドレスを獲得することで、前記ＤｅＮＢは前記ｅＮＢ＿ＮへとＸ２設定要請メッセージを送信する。前記Ｘ２設定要請メッセージは前記ＤｅＮＢに従属されたセルに対する情報を含み、選択的に前記ＤｅＮＢの隣接セルに対する情報及び前記ＤｅＮＢが属したプール（ｐｏｏｌ）などに対する情報を含んでもよい。
【００３２】
ステップ３１１において、前記ｅＮＢ＿Ｎは前記ＤｅＮＢにＸ２設定応答（Ｘ２  ｓｅｔｕｐ  ｒｅｓｐｏｎｓｅ）メッセージを送信する。前記Ｘ２設定応答メッセージは前記ｅＮＢ＿Ｎに従属されたセルに対する情報を含み、選択的に前記ｅＮＢ＿Ｎの隣接セルに対する情報及び前記ｅＮＢ＿Ｎが属したプール（ｐｏｏｌ）などに対する情報を含んでもよい。
【００３３】
ステップ３１２において、前記ＤｅＮＢは前記中継ノードで隣接セル情報通知（ｎｅｉｂｏｒ  ｃｅｌｌ  ｉｎｆｏｒｍａｔｉｏｎ  ｎｏｔｉｆｉｃａｔｉｏｎ）メッセージを送信する。前記Ｘ２インターフェースの設定過程で得られる前記ｅＮＢ＿Ｎに従属されたセルに対する情報もまた、前記中継ノードに提供されるために前記ｅＮＢ＿Ｎの隣接セルに対する情報、前記ｅＮＢ＿Ｎが属したプール（ｐｏｏｌ）などに対する情報を含んでもよい。 
【００３４】
上述した発明の実施形態によって、前記新たな隣接セルを発見した後、前記中継ノードは前記中継ノードが属したＤｅＮＢに報告する。それによって、前記ＤｅＮＢは前記新たな隣接セルが属した網ノードを発見し、Ｘ２インターフェースが設定されているか否かを判断する。前記Ｘ２インターフェースが設定されていないと、前記ＤｅＮＢは前記網ノードとＸ２インターフェースを設定する。結果的に、前記中継ノードは前記新たなセルが属した網ノードと前記ＤｅＮＢを介して通信を行うことができる。
【００３５】
追加的に、従来技術によると、中継ノードの構成情報（ｃｏｎｆｉｇｕｒａｔｉｏｎ  ｉｎｆｏｒｍａｔｉｏｎ）及び負荷情報（ｌｏａｄ  ｉｎｆｏｒｍａｔｉｏｎ）のうち少なくとも一つが変更されると、例えば、特定資源ブロックの負荷が限界を超えると、前記中継ノードの隣接ノード（例えば、ｅＮＢ＿Ｎ）に前記資源ブロックに対してスケジューリングしないことを通知することが要求される。従来技術によると、前記中継ノードはまずＤｅＮＢがフォワードされることを期待して前記ＤｅＮＢにメッセージを送信する。しかし、前記ＤｅＮＢは前記メッセージのみが自らに向かって送信されたと判断する。即ち、前記ＤｅＮＢは前記中継ノードが前記ＤｅＮＢに該当資源ブロックの負荷が限界を超過したことを知らせると認知し、前記メッセージを前記ｅＮＢ＿Ｎに送信しなくてもよい。その結果、前記ｅＮＢ＿Ｎは前記資源ブロックに対するスケジューリングを行うことになり、これは前記中継ノード、前記ｅＮＢ＿Ｎ、それに従属されたＵＥの性能を影響を及ぼす。また、前記ｅＮＢ＿Ｎの構成情報（ｃｏｎｆｉｇｕｒａｔｉｏｎ  ｉｎｆｏｒｍａｔｉｏｎ）及び負荷情報（ｌｏａｄ  ｉｎｆｏｒｍａｔｉｏｎ）のうち少なくとも一つが変更されるとそれを前記中継ノードに通知することが要求されるが、同じく、上述したように同じ問題点が発生する。
【００３６】
上述のように、本発明の目的が達成され得る。また、前記ＤｅＮＢの隣接セルリスト、全ての従属されたノードの隣接セルリストもまた前記ＤｅＮＢに貯蔵され得る。それを利用して、上述した問題点が以下の図４乃至図８のような過程を介して解決され得る。
【００３７】
図４は、本発明の実施形態による移動通信システムにおいて、中継ノードに対する情報変更を知らせるための信号交換を示す図である。以下の説明において、ｅＮＢ＿Ｎは一例に過ぎず、中継ノードなど様な形の隣接ノードが存在し得る。
【００３８】
前記図４を参照すると、ステップ４０１において、中継ノードの構成情報及び負荷情報のうち少なくとも一つが変更され、前記中継ノードは前記中継ノードが属したＤｅＮＢにｅＮＢ構成更新（ｅＮＢ  ｃｏｎｆｉｇｕｒａｔｉｏｎ  ｕｐｄａｔｅ）メッセージを送信する。具体的には、前記中継ノードのセル周波数（ｃｅｌｌ  ｆｒｅｑｕｅｎｃｙ）のような構成情報が変更された場合、又は負荷情報が変更された場合、又は前記構成情報及び前記負荷情報が全て変更された場合、前記中継ノードはｅＮＢ状態更新（ｅＮＢ  ｓｔａｔｅ  ｕｐｄａｔｅ）メッセージを送信する。ここで、前記ｅＮＢ状態更新メッセージは前記中継ノードが属したＤｅＮＢに変更された構成情報及び負荷情報のうち少なくとも一つ又は隣接セルによる他の資源ブロックに対する干渉情報などを伝達する。前記ｅＮＢ状態更新メッセージは、Ｘ２メッセージのうち一つである「ｅＮＢ構成更新メッセージ」又は「ｅＮＢ負荷状態メッセージ」と称されてもよい。また、他のメッセージを介して前記ステップ４０１が行われてもよい。前記図４の実施形態は、ｅＮＢ構成更新メッセージを仮定する。
【００３９】
ステップ４０２において、前記ＤｅＮＢは受信された前記ｅＮＢ構成更新メッセージによって前記ＤｅＮＢの隣接セルリストを更新する。そして、前記ＤｅＮＢは、前記ｅＮＢ状態更新メッセージを送信した前記中継ノードの隣接セルリストに含まれた全ての隣接セル網ノードを発見する。ここで、前記網ノードは「ｅＮＢ＿Ｎ」と仮定する。本ステップにおいて、前記中継ノードのセルが前記中継ノードが従属した前記ＤｅＮＢの隣接セルであるため、前記ＤｅＮＢは前記ＤｅＮＢの隣接セルリストを更新する必要がある。また、従属された全ての中継ノードの隣接セルリストから、前記ＤｅＮＢは、前記ｅＮＢ構成更新メッセージを送信した前記中継ノードの隣接セルリストを確認し、前記隣接セルリスト内の全ての隣接セルが属した中継ノードを発見する。
【００４０】
ステップ４０３において、前記ＤｅＮＢは前記ＤｅＮＢの構成更新メッセージを前記ｅＮＢ＿Ｎにフォワードする。
【００４１】
ステップ４０４において、前記ｅＮＢ＿Ｎは受信された前記ｅＮＢ構成更新メッセージによって前記ｅＮＢ＿Ｎの隣接セルリストを更新する。隣接セルリストを更新した後、前記ｅＮＢ＿Ｎは前記ＤｅＮＢにｅＮＢ構成更新応答（ｅＮＢ  ｃｏｎｆｉｇｕｒａｔｉｏｎ  ｕｐｄａｔｅ  ｒｅｓｐｏｎｓｅ）メッセージを送信する。
【００４２】
ステップ４０５において、前記ＤｅＮＢは前記中継ノードへとｅＮＢ構成更新応答メッセージを送信する。即ち、前記ｅＮＢ構成更新応答メッセージは、前記ｅＮＢ構成更新メッセージを送信した前記中継ノードに送信される。本ステップは、前記ステップ４０２の以前に行われてもよい。言い換えると、前記ｅＮＢ構成更新メッセージが前記中継ノードから受信されるとき、それに対する応答として前記ｅＮＢ構成更新応答メッセージが前記中継ノードに回信され得る。
【００４３】
図５は、本発明の実施形態による移動通信システムにおいて、ｅＮＢに対する情報変更を知らせるための信号交換を示す図である。以下の説明において、ｅＮＢ＿Ｎは一例に過ぎず、中継ノードなど様々な形の隣接ノードが存在し得る。 
【００４４】
前記図５を参照すると、ステップ５０１において、ｅＮＢ＿Ｎの構成情報及び負荷情報のうち少なくとも一つが変更され、前記ｅＮＢ＿ＮはＤｅＮＢにｅＮＢ構成更新（ｅＮＢ  ｃｏｎｆｉｇｕｒａｔｉｏｎ  ｕｐｄａｔｅ）メッセージを送信する。また、前記ＤｅＮＢは前記ＤｅＮＢの隣接セルリスト又は前記ＤｅＮＢに従属された中継ノードの隣接セルを前記ｅＮＢ＿Ｎに従属されたセルとして認知し得る。本ステップにおいて、前記ｅＮＢ＿ＮはｅＮＢ状態更新メッセージを送信し得る。前記ｅＮＢ状態更新メッセージは変更された構成情報及び変更された負荷情報のうち少なくとも一つを伝達するか、又は、隣接セルによって他の資源ブロックに対して発生する干渉に対する情報を前記ＤｅＮＢに伝達する。前記ｅＮＢ状態更新メッセージは、Ｘ２メッセージのうち一つである「ｅＮＢ構成更新メッセージ」又は「ｅＮＢ負荷状態メッセージ」と称され得る。また、他のメッセージを介して前記ステップ５０１が行われてもよい。前記図５の実施形態は、ｅＮＢ構成更新メッセージを仮定する。
【００４５】
ステップ５０２において、前記ＤｅＮＢは前記ｅＮＢ＿Ｎに属したセルが前記ＤｅＮＢの隣接セルリストに含まれているのかを判断する。前記ｅＮＢ＿Ｎに属したセルが前記ＤｅＮＢの隣接セルリストに含まれていると、前記ＤｅＮＢは受信された前記ｅＮＢ構成情報メッセージによって前記隣接セルリストを更新し、以下のステップ５０３に進行する。一方、前記ｅＮＢ＿Ｎに属したセルが前記ＤｅＮＢの隣接セルリストに含まれていないと、前記ＤｅＮＢは以下のステップ５０３にまっすぐ進行する。
【００４６】
ステップ５０３において、前記ＤｅＮＢが貯蔵している各従属された中継ノードの隣接セルリストに対し、前記ＤｅＮＢは前記ｅＮＢ＿Ｎに従属されたセルが前記中継ノードの隣接セルであるのか否かを判断する。前記ステップｅＮＢ＿Ｎに従属されたセルが前記中継ノードの隣接セルであれば、前記ＤｅＮＢは以下のステップ５０４に進行する。前記ｅＮＢ＿Ｎに従属されたセルが前記中継ノードの隣接セルでなければ、本手順は終了される。
【００４７】
ステップ５０４において、前記ＤｅＮＢは受信された前記ｅＮＢ構成更新メッセージを前記中継ノードにフォワードする。ステップ５０５において、前記中継ノードは前記ｅＮＢ構成更新メッセージによって前記中継ノードの隣接セルリストを更新する。前記隣接セルリストを更新した後、前記中継ノードは前記ＤｅＮＢにｅＮＢ構成更新応答メッセージを送信する。ステップ５０６において、前記ＤｅＮＢは前記ｅＮＢ＿ＮにｅＮＢ構成更新応答メッセージを送信する。本ステップは、前記ステップ５０２の以前に行われてもよい。
【００４８】
前記図４及び前記図５を参照して説明した２つの実施形態において、両側面、即ち、中継ノード及びｅＮＢ＿Ｎに対する説明が行われた。以下、ＤｅＮＢにおける手順が説明される。
【００４９】
図６は、本発明の実施形態による移動通信システムの網構造を概略的に示す図である。
【００５０】
前記図６を参照すると、２つの中継ノード、中継ノードＡ６１１及び中継ノードＢ６１２がＤｅＮＢ６２０に従属されている。セルは各中継ノードに従属される。前記ＤｅＮＢのセルの識別子は「ＥＣＧＩ−１」であり、前記中継ノードＡ６１１のセルの識別子は「ＥＣＧＩ−２」であり、前記中継ノードＢ６１２のセルの識別子は「ＥＣＧＩ−３」であり、ｅＮＢ＿Ｎ６３０のセルの識別子は「ＥＣＧＩ−４」である。前記ＤｅＮＢ６２０、前記中継ノードＡ６１１、前記中継ノードＢ６１２それぞれｒの隣接セルリストは以下の＜表１＞、以下の＜表２＞、以下の＜表３＞のようである。
【００５１】
【表１】
2013530617.tif 000003
【００５２】
【表２】
2013530617.tif 000004
【００５３】
【表３】
2013530617.tif 000005
【００５４】
図７及び図８は、本発明の実施形態による移動通信システムにおいて、ＤｅＮＢがｅＮＢ状態更新メッセージを受信した後からの手順を示す図である。
【００５５】
前記図７及び前記図８を参照すると、前記ＤｅＮＢはステップ７０１でｅＮＢ状態更新メッセージを受信する。前記ｅＮＢ状態更新メッセージは、変更された構成情報及び変更された負荷情報のうち少なくとも一つを含む。
【００５６】
ステップ７０２において、前記ＤｅＮＢは前記ｅＮＢ状態更新メッセージが中継ノードＡから受信されたのか、或いは中継ノードＢから受信されたのか又はｅＮＢ＿Ｎから受信されたのかを判断する。前記ｅＮＢ状態更新メッセージが前記中継ノードＡ又は前記中継ノードＢから受信された場合、以下のステップ７０３が進行され、前記ｅＮＢ状態更新メッセージが前記ｅＮＢ＿Ｎから受信された場合、以下のステップ７０６が進行される。
【００５７】
前記ｅＮＢ状態更新メッセージが前記中継ノードＡ又は前記中継Ｂから受信された場合、ステップ７０３において、前記ＤｅＮＢは受信された前記ｅＮＢ状態更新メッセージによって前記ＤｅＮＢの隣接セルリストを更新する。
【００５８】
ステップ７０４において、前記ＤｅＮＢは受信された前記ｅＮＢ状態更新メッセージを前記ＤｅＮＢが貯蔵した前記中継ノードＡ又は前記中継ノードＢの隣接セルリストに含まれた全ての隣接セルが属した網ノードにフォワードする。もし、前記中継ノードＡが前記ｅＮＢ状態更新メッセージを送信した場合、前記＜表２＞のような情報によって前記ｅＮＢ状態更新メッセージを前記中継ノードＢ及びｅＮＢ＿Ｎにフォワードすることが要求される。もし、前記中継ノードＢが前記ｅＮＢ状態更新メッセージを送信した場合、前記＜表３＞のような情報によって前記ｅＮＢ状態更新メッセージを前記中継ノードＡにフォワードすることが要求される。
【００５９】
次に、ステップ７０５において、各網ノードは受信された前記ｅＮＢ状態更新メッセージによって自らの隣接セルリストを更新し、前記ＤｅＮＢに応答メッセージを送信した後、本手順を終了する。
【００６０】
前記ステップ７０２において、前記ｅＮＢ状態更新メッセージが前記ｅＮＢ＿Ｎから受信された場合、ステップ７０６において、前記ＤｅＮＢは前記ｅＮＢ＿Ｎに属したセルが前記ＤｅＮＢの隣接セルリストに含まれているか否かを判断する。前記ｅＮＢ＿Ｎに属したセルが前記ＤｅＮＢの隣接セルリストに含まれていると、以下のステップ７０７が行われ、前記ｅＮＢ＿Ｎに属したセルが前記ＤｅＮＢの隣接セルリストに含まれていないと、以下のステップ７０８が行われる。例えば、前記ＤｅＮＢの隣接セルリストが前記＜表１＞のようである場合、前記ｅＮＢ＿Ｎに属したセルは前記ＤｅＮＢの隣接セルリストに含まれるということが分かる。前記ｅＮＢ＿Ｎに属したセルが前記ＤｅＮＢの隣接セルリストに含まれていると、ステップ７０７において、前記ＤｅＮＢは受信された前記ｅＮＢ構成情報メッセージによって前記ＤｅＮＢの隣接セルリストを更新する。次に、ステップ７０８が行われる。
【００６１】
ステップ７０８において、前記ＤｅＮＢは前記ｅＮＢ＿Ｎに属したセルが前記中継ノードＡの隣接セルリストに含まれているか否かを判断する。例えば、前記中継ノードＡの隣接セルリストが前記＜表２＞のようである場合、前記ｅＮＢ＿Ｎに属したセルは前記中継ノードＡの隣接セルリストに含まれるということが分かる。前記中継ノードＡの隣接セルリストに含まれていると、ステップ７０９において、前記ＤｅＮＢは受信された前記ｅＮＢ状態情報メッセージを前記中継ノードＡにフォワードする。
【００６２】
それによって、ステップ７１０において、前記中継ノードＡは受信されたｅＮＢ状態更新メッセージによって前記中継ノードＡの隣接セルリストを更新し、前記ＤｅＮＢに応答メッセージを送信する。次に、ステップ７１１が行われる。
【００６３】
ステップ７１１において、前記ＤｅＮＢは前記ｅＮＢ＿Ｎに属したセルが前記中継ノードＢの隣接セルリストに含まれているか否かを判断する。前記ｅＮＢ＿Ｎに属したセルが前記中継ノードＢの隣接セルリストに含まれていると、以下のステップ７１２が行われ、前記ｅＮＢ＿Ｎに属したセルが前記中継ノードＢの隣接セルリストに含まれていないと、本手順は終了される。例えば、前記中継ノードＢの隣接セルリストが前記＜表３＞のようである場合、前記ｅＮＢ＿Ｎに属したセルは前記中継ノードＢの隣接セルリストに含まれないということが分かる。この場合、前記ステップ７１２及びステップ７１３は行われない。
【００６４】
前記ｅＮＢ＿Ｎに属したセルが前記中継ノードＢの隣接セルリストに含まれていると、ステップ７１２において、前記ＤｅＮＢは受信された前記ｅＮＢ状態更新メッセージを前記中継ノードＢにフォワードする。
【００６５】
それによって、ステップ７１３において、前記中継ノードＢは受信されたｅＮＢ状態更新メッセージによって前記中継ノードＢの隣接セルリストを更新し、前記ＤｅＮＢに応答メッセージを送信する。次に、本手順は終了される。
【００６６】
上述した実施形態は一例であり、具体的な実施形態によって前記ステップ７０８乃至前記ステップ７１０及び前記ステップ７１１乃至前記ステップ７１３の順番は変更され得る。
【００６７】
図９は、本発明の実施形態による移動通信システムにおける中継ノードのブロック構成を示す図である。
【００６８】
前記図９に示したように、前記中継ノードはＲＦ（Ｒａｄｉｏ  Ｆｒｅｑｕｅｎｃｙ）処理部８１０、モデム８２０、貯蔵部８３０、制御部８４０を含んで構成される。
【００６９】
前記ＲＦ受信部８１０は、信号の帯域変換、増幅など無線チャネルを介して信号を送受信するための機能を行う。即ち、前記ＲＦ処理部８１０は、前記モデム８２０から提供される基底帯域信号をＲＦ帯域信号にアップ変換した後アンテナを介して送信し、前記アンテナを介して受信されるＦＲ帯域信号を基底帯域信号ダウン変換する。例えば、前記ＲＦ処理部８１０は増幅器、ミキサー（Ｍｉｘｅｒ），オシレータ（ｏｓｃｉｌｌａｔｏｒ）、ＤＡＣ（Ｄｉｇｉｔａｌ  ｔｏ  Ａｎａｌｏｇ  Ｃｏｎｖｅｒｔｏｒ）、ＡＤＣ（Ａｎａｌｏｇ  ｔｏ  Ｄｉｇｉｔａｌ  Ｃｏｎｖｅｒｔｏｒ）などを含んでもよい。
【００７０】
前記モデム８２０は、システムの物理階層規格によって基底帯域信号及びビット列間の変換機能を行う。例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式による場合、データを送信する際、前記モデム８２０は送信ビット列を符号化及び変調することで複素シンボルを生成し、前記複素シンボルを副搬送波にマッピングした後、ＩＦＦＴ演算及びＣＰ挿入を介してＯＦＤＭシンボルを構成する。また、データを受信する際、前記モデム８２０は前記ＲＦ処理部８１０から提供される基底帯域信号をＯＦＤＭシンボル単位に分割し、ＦＦＴ演算を介して副搬送波にマッピングされた信号を復元した後、復調及び復号化を介して受信ビット列を復元する。
【００７１】
前記貯蔵部８３０は前記中継ノードの動作のための基本プログラム、システム情報などのデータを貯蔵する。また、前記制御部８３０は中継データを臨時貯蔵する。そして、前記貯蔵部８３０は前記制御部８４０の要請に応じて貯蔵されたデータを提供する。
【００７２】
前記制御部８４０は、前記中継ノードの全般的な機能を制御する。例えば、前記制御部８４０は下位ノードから受信されるトラフィックを上位ノードに中継し、上位ノードから受信されるトラフィックを下位ノードに中継する。特に、本発明の実施形態によって、前記制御部８４０は新たな隣接セルを発見すると、前記新たな隣接セルの発見を前記中継ノードが従属されたｅＮＢに報告するように制御し、隣接セルリストを更新する。例えば、前記制御部８４０は前記中継ノードが前記図３、前記図４、前記図５、前記図７及び図８に示したように動作するように制御する。
【００７３】
図１０は、本発明の実施形態による移動通信システムにおけるｅＮＢのブロック構成を示す図である。
【００７４】
前記図１０に示したように、前記ｅＮＢはＲＦ（Ｒａｄｉｏ  Ｆｒｅｑｕｅｎｃｙ）処理部９１０、モデム９２０、バックホール通信部９３０、貯蔵部９４０、制御部９５０を含んで構成される。
【００７５】
前記ＲＦ処理部９１０は、信号の帯域変換、増幅など無線チャネルを介して信号を送受信するための機能を行う。即ち、前記ＲＦ処理部９１０は、前記モデム９２０から提供される基底帯域信号をＲＦ帯域信号にアップ変換した後アンテナを介して送信し、前記アンテナを介して受信されるＦＲ帯域信号を基底帯域信号ダウン変換する。例えば、前記ＲＦ処理部９１０は増幅器、ミキサー、オシレータ、ＤＡＣ、ＡＤＣなどを含んでもよい。
【００７６】
前記モデム９２０は、システムの物理階層規格によって基底帯域信号及びビット列間の変換機能を行う。例えば、ＯＦＤＭ方式による場合、データを送信する際、前記モデム９２０は送信ビット列を符号化及び変調することで複素シンボルを生成し、前記複素シンボルを副搬送波にマッピングした後、ＩＦＦＴ演算及びＣＰ挿入を介してＯＦＤＭシンボルを構成する。また、データを受信する際、前記モデム９２０は前記ＲＦ処理部９１０から提供される基底帯域信号をＯＦＤＭシンボル単位に分割し、ＦＦＴ演算を介して副搬送波にマッピングされた信号を復元した後、復調及び復号化を介して受信ビット列を復元する。
【００７７】
前記バックホール通信部９３０は、前記ｅＮＢが他のノード（例えば、他のｅＮＢ、ＭＭＥなど）と通信を行うためのインターフェースを提供する。前記バックホール通信部９３０は、前記ｅＮＢから前記他のノードに送信されるビット列を物理的信号に変換し、前記他のノードから受信される物理的信号をビット列に変換する。例えば、前記バックホール通信部９３０はＸ２インターフェースを支援する。前記貯蔵部９４０は前記ｅＮＢの動作のための基本プログラム、システム情報などのデータを貯蔵する。そして、前記貯蔵部９４０は前記制御部９５０の要請に応じて貯蔵されたデータを提供する。
【００７８】
前記制御機９５０は、前記ｅＮＢの全般的機能を制御する。例えば、前記制御部９５０は送信トラフィックパケット及びメッセージを生成して前記モデム９２０に提供し、前記モデム９２０から提供される受信トラフィックパケット及びメッセージを解釈する。また、前記制御部９５０は他のノードとのシグナリングのためのメッセージを生成及び解釈する。特に、本発明の実施形態によって、前記ｅＮＢに従属された中継ノードが存在する場合、前記制御部９５０は前記中継ノードによって発見された新たな隣接セルが従属された網ノードとのＸ２インターフェースを設定するように制御する。また、前記制御部９５０は前記新たな隣接セルに対する情報を隣接セルリストに追加するように制御する。例えば、前記制御部９５０は前記ｅＮＢが前記図３、前記図４、前記図５、前記図７及び図８に示したように動作するように制御する。
【００７９】
図１１は、本発明の実施形態による移動通信システムにおけるＭＭＥのブロック構成を示す図である。
【００８０】
前記図１１に示すように、前記ＭＭＥは、通信部１０１０、貯蔵部１０２０、制御部１０３０を含んで構成される。
【００８１】
前記通信部１０１０は網内に他の客体（例えば、ｅＮＢ）と通信を行うためのインターフェースを提供する。前記貯蔵部１０２０は前記ＭＭＥが動作するための基本プログラム、システム設定情報などを貯蔵する。
【００８２】
前記制御部１０３０は、前記ＭＭＥの全般的な機能を制御する。例えば、前記制御部１０３０は、前記ＭＭＥに連結されたｅＮＢの制御シグナリングを制御する。特に、本発明の実施形態によって、前記制御部１０３０はｅＮＢ及び網ノード間のＸ２インターフェース設定のための手順を制御する。例えば、前記制御部１０３０は、前記ＭＭＥが前記図３、前記図４、前記図５、前記図７及び図８に示したように動作するように制御する。
【００８３】
移動通信システムにおいて、中継ノードは新たな隣接セルが属した網ノードとＤｅＮＢを介して通信を行うことができる。また、前記中継ノードの構成情報及び負荷情報のうち少なくとも一つが変更される場合、隣接ノードは前記ＤｅＮＢを介して適時に通知され得る。前記隣接ノードの構成情報及び負荷情報のうち少なくとも一つが変更される場合、前記中継ノードは前記ＤｅＮＢを介して通知され得る。
【００８４】
上述した内容は単に本発明の好ましい実施形態に過ぎないものであり、本発明がこれに制限されることはない。本発明の原理や技術的思想を逸脱しないいかなる修正、同等なこと又は改善などが本発明の範囲内で行われ得る。
【符号の説明】
【００８５】
１１０  ｅＮＢ
１２０  ＭＭＥ
１３０  Ｓ−ＧＷ
【図１】
2013530617.tif 000006
【図２】
2013530617.tif 000007
【図３】
2013530617.tif 000008
【図４】
2013530617.tif 000009
【図５】
2013530617.tif 000010
【図６】
2013530617.tif 000011
【図７】
2013530617.tif 000012
【図８】
2013530617.tif 000013
【図９】
2013530617.tif 000014
【図１０】
2013530617.tif 000015
【図１１】
2013530617.tif 000016
【国際調査報告】
2013530617.tif 000017
2013530617.tif 000018
2013530617.tif 000019